(57)【要約】【課題】ビル等の建物の上部壁面より突出している排水管とたて樋を接続する際に使用する集水ますは、エルボから流れ出た雨水を内部に流入させるが、集水ますの下部底面に流水が当たり音が発生することがある。また、集水ます内部で雨水が暴れて排水がスムーズに行われにくく、従前には特別に流路を設けられていない。また、集水ます本体とパイプの一体型では、集水ます本体とパイプを接続するために溶接加工が用いられそれにより高価なものであった。【解決手段】屋上等より流下して集水ますに排水される雨水を集水ます内部に広口のカップを設け渦を形成させ流路を作り排水することで底板に雨水が当たる音を無くすことが出来、雨水の暴れ等もなくスムーズに排水を可能としたものである。更に、本発明による集水ますでは、溶接加工を必要とせず、はめ込み、ねじ止め式で組み立て施工が現場で容易で安価に提供できものである。【選択図】図２
2011241613.tif 000002
【特許請求の範囲】
【請求項１】
建物の外壁面に装着し下部にたて樋を接続してなる集水ますにおいて、集水ます本体は、外壁面に取り付けるためのフレームとフレームに装着するカバーを有し、本体内部には上部が広口で下部は縮管形状を有するカップを設け、カップ出口にたて樋が接続されて、排水管のエルボから案内された雨水を排水するよう流路を作り受け流すことを特徴とする雨樋用集水ます。
【発明の詳細な説明】
【技術分野】
【０００１】
本発明は建物の外壁面に取り付けて、上部の排水管から流下する雨水をたて樋に導くための雨樋用集水ますに関するものである。
【背景技術】
【０００２】
ビル等の建物の屋上に降った雨は、屋上の周囲隅部等に設けられたドレンに集まり、このドレンに接続された排水管より壁面の外側に導かれ、集水ますに集められ、集水ます下部の落とし口に接続されたたて樋により排水されるものである。
従来より排水管と集水ますを接続するには、排水管の先端に雨水を案内するエルボ等を接続し、集水ますの背面より集水ますの内部に差し込んで排水する構造のものであり、集水ますの下部底面に垂設した落水筒からたて樋に排水するものが一般的であった。
【０００３】
或いは建物の壁面上部の排水管に直接、曲管形状のエルボを使用し、水上側を差込み、水下側をたて樋に接続して排水するものもあるが、通常は外観の点やゴミの掃除などのメンテナンスの点からも、雨水を一度集水ますに流してからたて樋に排水するものであった。
【０００４】
従来よりこのように使用される集水ますの形状は角形の形状のものや、或いは略円筒形のものが広く知られており、この集水ますを外壁面に密着させて施工し、本体の底面に落水筒を垂設してたて樋等と接続する構造のものであり、外観的な工夫のみが認められた。
【０００５】
しかし、このような集水ますは、通常内部に流入される雨水を一旦溜める構造なので、エルボから流れ出た雨水が下部底面に当たることで音が発生するものである。また、集水ます内部で暴風雨或いは豪雨のとき等雨水が暴れてしまい、排水がスムーズに行われにくいものであり、従前の特許文献で開示の発明を含め、集水ます内に特別の流路を検討工夫することはなかった。
【特許文献１】特開２００６−１９３９８９号
【発明の開示】
【発明が解決しようとする課題】
【０００６】
上記のように集水ますに流れる雨水は、ゴミや汚れや土砂を多く含んでおり、滞ると結果として集水ます内部を汚すことになり、特に、長期間の使用にあたっては、汚れも蓄積されるものであった。また金属製の集水ます等の場合は、集水ますの下部底面に流入された雨水が当たることで騒音の発生や集水ます内部で雨水が暴れ排水がスムーズに行われにくい等従来の集水ますには、特別に流路の工夫はなかった。更に、従来集水ますの底面に雨水やゴミ、土砂が滞留し易く、酸性雨等による腐食或いは毀損の原因ともなっていた。
【０００７】
このように従来の集水ますでは、建物の外壁面に密着させて接続され、雨水を案内するエルボから流れ出た雨水が集水ます内部に集水され、雨水は一旦、集水ます内部に溜まりたて樋に排水されるが、エルボから流れ出た雨水が集水ますの内部での流路の工夫はなかった。出願人は鋭意実験の結果集水ます内部にカップを以って流路を作り課題の解決に至った。
【課題を解決するための手段】
【０００８】
本発明に係る雨樋用集水ますは、建物の外壁面に装着し下部にたて樋を接続し、集水ますの本体は、外壁面に取り付けるためのフレームとフレームに装着するカバーを有し、本体内部には上部が広口で下部は縮管形状を有するカップを設け、カップ出口にたて樋が接続されて、排水管のエルボからの流入雨水をスムーズに排水するよう流路を作り受け流す構造である。
【０００９】
即ち、集水ますの内部に雨水の流れをスムーズに発生させるように、屋上より流下して集水ますに流入される雨水を排水管を利用して排水する場合、集水ます内部にエルボとカップを利用して流路を作り、渦を形成させて排水することで底板に雨水が当たる音を無くすことが出来、雨水の暴れ等もなくスムーズに排水を可能としたものである。カップの上部入口はエルボ出口より大きく広口とし、エルボの向きの修正が容易に可能で集水ますのメリットを損なわない構造としている。
また、カップの下部出口はたて樋に直接接続できるので確実な排水を可能としている。カップで全ての雨水を受け、渦を形成させて流路を作りカップの出口側に接続されたたて樋に排水される。
【発明の効果】
【００１０】
上記の如く本発明に係る雨樋用集水ますは、屋上より流下して排水される雨水を、集水ます内部にエルボとカップを利用して渦を形成させ流路を作り受け流すことで、集水ますの底板に当たり生ずる騒音を防ぐことが出来、雨水の暴れ等もなくスムーズな排水が可能である。
【００１１】
また集水ますの底面に置かれたカップの上部入口は、エルボの出口の径より大きく広口にして、エルボの向きの修正を容易に可能とすることで、現場の施工を容易にし集水ますと排水管との位置バランスにて施工が可能となり、集水ますのメリットを損なわない構造である。
本願発明の構造では、壁面より突出する排水管の向きがずれた場合、一度縁切りし、エルボを利用して方向を修正することができるので施工性の向上となる。その他に壁面より突出する排水管が上向き或いは下向にずれた場合、集水ますを使わないとたて樋を垂直に施工することが困難であるという問題もあるが、本発明の集水ますは、これらの問題も容易に解決するものとなっている。
【００１２】
更に、集水ます本体と排水パイプの一体型の集水ますでは、集水ます本体と排水パイプを接続するために通常は溶接加工が用いられていたが、本発明による雨樋用集水ますでは、その溶接加工を必要とせず、現場でのはめ込み、ねじ止め式で組み立て施工が容易にできその分製品を安価に提供できものである。
【実施例】
【００１３】
以下、添付図面に示した一実施例により本発明を詳説する。図１は本発明に係る雨樋用集水ますＡを、壁面Ｄに施工したときの斜視図であり、図２は本発明に係る雨樋用集水ますＡを、分解したときの斜視図であり、図３〜図６は本発明に係る雨樋用集水ますの施工時の斜視図を示す。
【００１４】
集水ますＡは、厚さ１．５ｍｍ程度のステンレス鋼板やアルミ材等で成形して折曲されたカバーが略蒲鉾形に製作され、各部品は溶接やハゼ組などは利用せず、接続組立され、図２に示すカバー１０、フレーム２０、カップ４０によって構成される。この各部品の材厚は１．５ｍｍでなくとも例えば０．６ｍｍ乃至２．０ｍｍ程度でもその性能に影響なく、設計時に適宜なものを選択すればよい。
【００１５】
また図示例ではカバーが略蒲鉾形であるが、外観に合わせて丸形や角形等でも十分に本発明の実施は可能で、カップの形状も上部入口が広口であれば良く、お椀形や逆円錐形状等でもよく、発明の技術的範囲内であれば種々の形状が可能である。
またカップを用いて渦を形成させ排水の流路を作り受け流すのであるから、カップの上部入口を広口にしてその流入面に螺旋等筋を切っておいても良い。
【００１６】
集水ますＡのフレーム２０には、上面２１にカバー１０とフレーム２０の施工時に接続微調整を行うための上面孔２２が穿設されている。該フレーム２０は上面２１及び底面２３で、上面は下方向、底面は上方向に９０度に折曲された側面側折返し片２５が形成され、該側面側折返し片２５には、上面及び底面の側面側に側面側カバー固定孔２８を穿設し、背面２６からは水平方向に９０度に折曲され背面側折返し片２７が左右に形成され、該背面側折返し片２７には、背面側カバー固定孔２９を上下に穿設している。
【００１７】
更に、背面２６には、壁面とフレーム２０を固定するためのフレーム固定孔３０を２箇所設け、屋上からの排水を集水ますへ流入する排水管の挿通口３１が、１箇所形成されている。底面２３にはカップ挿通孔３２が形成され、カップ４０を挿通し、カップ出口４２にはたて樋Ｔ（図示せず）が嵌合接続される。
【００１８】
そして集水ますＡのカバー１０には、フレーム２０に固定するためにカバー側面１１の上面、下面の左右にフレーム２０とカバー１０を取り付け、ねじ止めするためのカバー固定孔１２と壁面側にフレーム２０の背面側カバー固定孔２９に取り付けられたねじ５１に引っ掛け、ねじ止めされる側面側長孔１３が左右に２箇所ずつ形成されている。
【００１９】
実際に施工する際は建物上部の壁面Ｄから突出している排水管ＢにエルボＣを嵌合する。排水管ＢとエルボＣとはシール材などにより水漏れは完全に防止されている。次に、カップ挿通孔３２に垂設するようにカップ４０を挿通後、排水管ＢとエルボＣを集水ますＡのフレーム２０に設けた挿通口３１に通し、エルボＣを差し込みカップ入口４１に被せる。
【００２０】
カップ出口４２はフレーム２０のカップ挿通孔３２より挿通される。フレーム２０はフレーム固定孔３０の位置でアンカー等で壁面に固定される。
続いてフレーム２０の背面側カバー固定孔２９の２箇所に接続された、ねじ５１にカバー１０の壁面側となる左右の側面側長孔１３の２箇所を引っ掛けねじ締めし、最後にカバー１０の側面のカバー固定孔１２の上、下に最終カバー固定ねじ５２を挿通し、フレーム２０の側面側カバー固定孔２８と固定し、集水ますＡは固定され、たて樋Ｔに接続され、雨水は、排水管Ｂ経由エルボＣ、カップ４０、たて樋Ｔへと流下し地上や埋設管などにスムーズに排水される。
【産業上の利用可能性】
【００２１】
上記したように本発明に係る雨樋用集水ますは、集水ますの内部に雨水の流れを発生させるように、屋上より流下して集水ますに流入される雨水に流路を作り受け流すことで、集水ますの底板に当たる音を無くすことが出来、雨水の暴れ等もなく渦を形成させてスムーズに排水を可能としたものである。
【００２２】
また、カップの下部出口はたて樋に直接接続しているので確実な排水を可能としている。カップで全ての雨水を受け、カップの出口側に接続されたたて樋により排水される。
更に、集水ます本体とパイプの一体型では、集水ます本体とパイプを接続するためには通常は溶接加工が用いられていたが、本発明による雨樋用集水ますでは、溶接加工を必要とせず、はめ込み、ねじ止め式で組み立て施工が現場で容易にでき安価に提供でき経済性は大なるものである。
【００２３】
本発明の雨樋用集水ますは、フレーム、カバー、カップの３点で構成され、前記の通り現場で前記の通り組み立て手順で簡易に取り付け施工ができ、コスト的にも優れ、施工後の外観も良好なものである。本実施例ではアルミやステンレス鋼板材による雨樋用集水ますを図示したが、これは他の金属板等でも同様の効果を発揮させることができ、また合成樹脂製の雨樋及び集水ますであっても可能であり、その適用範囲は広範なものとなり、需要の増大が見込まれる。
【００２４】
更に、フレーム設置後にカバーを取り付けるので、カップ内に排水管のエルボが入る状態を確実に確認しながら施工を行うことができる。最後に取り付けるカバーは、フレームにねじ止めだけではなく引っ掛け部分を設けることで、ねじ止めをしない構造とすることも可能である。
【図面の簡単な説明】
【００２５】
【図１】は本発明の実施例で雨樋用集水ますを施工したときの斜視図である。
【図２】は同上の集水ますを分解したときの斜視図である。
【図３】は壁面に取り付けられた排水管とエルボの斜視図である。
【図４】は壁面に取り付けられた排水管とエルボとフレームの斜視図である。
【図５】は壁面に取り付けられたカバーのねじ取り付け時の斜視図である。
【図６】は壁面に取り付けられたカバーのねじ締め時の斜視図である。
【符号の説明】
【００２６】
Ａ・・・集水ます
Ｂ・・・排水管
Ｃ・・・エルボ
Ｄ・・・壁面
１０・・カバー
１１・・カバー側面
１２・・カバー固定孔
１３・・側面側長孔
２０・・フレーム
２１・・上面
２２・・上面孔
２３・・底面
２５・・側面側折返し片
２６・・背面
２７・・背面側折返し片
２８・・側面側カバー固定孔
２９・・背面側カバー固定孔
３０・・フレーム固定孔
３１・・挿通口
４０・・カップ
４１・・カップ入口
４２・・カップ出口
５１・・ねじ
５２・・最終カバー固定ねじ
【図１】
2011241613.tif 000003
【図２】
2011241613.tif 000004
【図３】
2011241613.tif 000005
【図４】
2011241613.tif 000006
【図５】
2011241613.tif 000007
【図６】
2011241613.tif 000008